(57)【要約】【課題】周囲の温度が変化しても、内容物の噴き出しを防止することができる二重容器を提案する。【解決手段】本発明の二重容器１は、外層体３の口部周壁３ｄの外面に、オーバーキャップ９の周壁９ｂとの間で外界への通気路Ｖを形成するとともに、口部根元側への摺動によって貫通開口３ｆを開放して内層体２と外層体３との相互間と通気路Ｖとを連通させる一方、口部先端側への摺動によって貫通開口３ｆを閉鎖するスライド部材８を設け、オーバーキャップ９の周壁９ｂ内面に、オーバーキャップ９の取り付けによってスライド部材８を口部根元側へ押し下げる上部突起９ｄと、オーバーキャップ９の取り外しによってスライド部材８を口部先端側へ押し上げる下部突起９ｅを設けたことを特徴とする。【選択図】図２
2015105123.tif 000002
【特許請求の範囲】
【請求項１】
内容物を収容する減容変形自在な内層体と、該内層体を内側に収めるとともに口部周壁に貫通開口を有し該内層体との相互間に該貫通開口につながる内部空間を有する外層体と、内容物の注出口を有するとともに該外層体に装着されるノズルと、該ノズルを覆って該口部周壁に着脱可能に取り付けられるオーバーキャップとを備える二重容器であって、
前記口部周壁の外面に、前記オーバーキャップの周壁との間で外界への通気路を形成するとともに、口部根元側への摺動によって前記貫通開口を開放して前記内部空間と該通気路とを連通させる一方、口部先端側への摺動によって該貫通開口を閉鎖するスライド部材を設け、
前記オーバーキャップの周壁内面に、該オーバーキャップの取り付けによって該スライド部材を口部根元側へ押し下げる上部突起と、該オーバーキャップの取り外しによって該スライド部材を口部先端側へ押し上げる下部突起とを設けた二重容器。
【請求項２】
前記スライド部材は、前記貫通開口に向けて突出し、口部根元側への摺動にて該貫通開口の下縁に当接する一方、口部先端側への摺動にて該貫通開口の上縁に当接するストッパー突起を有する請求項１に記載の二重容器。
【請求項３】
前記スライド部材は、前記口部周壁を部分的に周回してＣ字状をなすとともに２つの周端部の相互間に前記通気路を備える請求項１又は２に記載の二重容器。
【発明の詳細な説明】
【技術分野】
【０００１】
本発明は、内容物を収容する減容変形自在な内層体と、内層体を内側に収めて容器の外殻を形成する外層体とを備え、内容物の注出に伴って内層体のみが減容する二重容器に関するものである。
【背景技術】
【０００２】
化粧水などの化粧料や、シャンプーやリンス或いは液体石鹸、また食品調味料や薬品などを収納する容器としては、内容物を収容する減容変形自在な内層体と、内層体を内側に収めて容器の外殻を形成する外層体とを備え、外層体に、内外に通じる外気導入用の開口を設け、内容物の注出に伴って内層体のみを減容させるようにした二重容器（デラミ容器、積層剥離容器とも言う）が知られている（例えば特許文献１）。この種の容器は、内層体内の内容物と外気との置換を行うことなく内容物を注出することができるので、特に、外気との接触によって品質が低下するおそれのある内容物を収納する容器として好適である。
【０００３】
特許文献１の積層剥離容器は、大気導入孔を備える外側層と、外側層に剥離自在に積層された内側層とを有し、通常時は内側層と外界との連通を阻止するとともに内側層の内圧上昇によって内容物の注出を許容する吐出弁を備え、また、通常時は大気導入孔に連通する空気流入孔を閉鎖するとともに外側層と内側層の相互間の減圧によって空気流入孔から空気を導入する吸込弁を備えるものである。このような容器によれば、外側層を押圧すると、外側層と内側層の相互間の空気を介して内側層を押圧することができるため、内側層の内圧が上昇して内容物を注出することができる。また、外側層の押圧を解除すれば、外側層の復元に伴い外側層と内側層の相互間が減圧されて空気流入孔から外気が導入されるため、外側層のみを元の形状に戻すことができる。
【先行技術文献】
【特許文献】
【０００４】
【特許文献１】特許第３６８８３７３号公報
【発明の概要】
【発明が解決しようとする課題】
【０００５】
ところで、このような二重容器を例えば冷所に保存する場合、これを室内に取り出すと、外気によって内層体と外層体との相互間の空気が温められて膨張する結果、この相互間の内圧が上昇して内層体が加圧され、注出口から内容物が噴き出すことがあった。
【０００６】
本発明は、このような従来の問題点を解決することを課題とするものであり、その目的は、周囲の温度が変化しても、内容物の噴き出しを有効に防止することができる新たな二重容器を提案するところにある。
【課題を解決するための手段】
【０００７】
本発明は、内容物を収容する減容変形自在な内層体と、該内層体を内側に収めるとともに口部周壁に貫通開口を有し該内層体との相互間に該貫通開口につながる内部空間を有する外層体と、内容物の注出口を有するとともに該外層体に装着されるノズルと、該ノズルを覆って該口部周壁に着脱可能に取り付けられるオーバーキャップとを備える二重容器であって、
前記口部周壁の外面に、前記オーバーキャップの周壁との間で外界への通気路を形成するとともに、口部根元側への摺動によって前記貫通開口を開放して前記内部空間と該通気路とを連通させる一方、口部先端側への摺動によって該貫通開口を閉鎖するスライド部材を設け、
前記オーバーキャップの周壁内面に、該オーバーキャップの取り付けによって該スライド部材を口部根元側へ押し下げる上部突起と、該オーバーキャップの取り外しによって該スライド部材を口部先端側へ押し上げる下部突起とを設けた二重容器である。
【０００８】
前記スライド部材は、前記貫通開口に向けて突出し、口部根元側への摺動にて該貫通開口の下縁に当接する一方、口部先端側への摺動にて該貫通開口の上縁に当接するストッパー突起を有することが好ましい。
【０００９】
前記スライド部材は、前記口部周壁を部分的に周回してＣ字状をなすとともに２つの周端部の相互間に前記通気路を備えることが好ましい。
【発明の効果】
【００１０】
外層体の口部周壁の外面に、オーバーキャップの周壁との間で外界への通気路を形成するとともに、口部根元側への摺動によって貫通開口を開放して外層体と内層体との相互間（内部空間）と通気路とを連通させる一方、口部先端側への摺動によって貫通開口を閉鎖するスライド部材を設け、オーバーキャップの周壁内面に、オーバーキャップの取り付けによってスライド部材を口部根元側へ押し下げる上部突起と、オーバーキャップの取り外しによってスライド部材を口部先端側へ押し上げる下部突起とを設けたので、オーバーキャップを取り付けた状態では、内部空間と外界とが連通した状態になる。これにより、周囲の温度が変化しても、内部空間内の空気を外界へ逃がすことができるので、内容物の噴き出しを防止することができる。
【００１１】
スライド部材に、貫通開口に向けて突出し、口部根元側への摺動にて貫通開口の下縁に当接する一方、口部先端側への摺動にて貫通開口の上縁に当接するストッパー突起を設ける場合は、スライド部材が外層体から脱落することがなくなるので、使い勝手が良くなる。
【００１２】
スライド部材が、口部周壁を部分的に周回してＣ字状をなすものである場合は、スライド部材の内径が広がるように変形させることができるので、口部周壁への取り付けが容易になる。またＣ字状にすることで、周方向に切り欠かれた部分となる２つの周端部の相互間を通気路として利用することができるので、通気路を形成するための溝等を別途設ける必要がなくなる。
【図面の簡単な説明】
【００１３】
【図１】本発明に従う二重容器の一実施形態を示す、側面視での半断面図である。
【図２】図１のノズル周辺を拡大して示す図である。
【図３】図２のＡ−Ａに沿う断面図である。
【図４】オーバーキャップを取り外す途中の状態を示す図である。
【発明を実施するための形態】
【００１４】
以下、図面を参照して、本発明をより具体的に説明する。なお、本明細書、特許請求の範囲、要約書、及び図面において、「上」とは、容器を水平面上に載置した際に外層体の底部に対してノズルが位置する側であり、「下」とは、その反対側である。
【００１５】
図１において、符号１は、本発明の二重容器の一実施形態を示す。本実施形態の二重容器１は、特に、少量の内容物を注出させるのに適した形態をなすものである。二重容器１は、内容物を収容する内層体２と、内層体２を内側に収める外層体３と、外層体３に装着されるノズル４を備えている。ノズル４は、中栓５と注出筒体７とで構成されている。更に中栓５と注出筒体７との間には、シール弁６が設けられている。また、外層体３の口部周壁の外側にはスライド部材８が設けられている。そして、ノズル４の外側にはオーバーキャップ９が設けられている。
【００１６】
内層体２は、その内側に内容物を収容する収容空間Ｓを備えている。内層体２は薄肉の合成樹脂製であって、減容変形自在となっている。
【００１７】
外層体３は、円板状の底部３ａに円筒状の胴部３ｂを連結するとともに、上方へ向けて縮径する肩部３ｃを介して円筒状の口部周壁３ｄを連結したものである。口部周壁３ｄには上方へ向けて開口する上部開口３ｅが設けられている。また口部周壁３ｄの根元側には貫通開口３ｆが設けられていて、先端側には雄ねじ３ｇが設けられている。外層体３は合成樹脂製であって、胴部３ｂは復元自在な可撓性を有している。外層体３の内側には内層体２を収めていて、内層体２が減容変形することで、それらの相互間には貫通開口３ｆにつながる内部空間が形成される。
【００１８】
本実施形態において内層体２と外層体３は、相互に相溶性が低い合成樹脂を剥離可能に積層させたものである。図示は省略するが内層体２と外層体３との間には、上下方向に延在して内層体２と外層体３とを部分的に接合する、１本或いは複数本の接着帯を設けてもよい。なお、このような内層体２と外層体３は、内層体２の合成樹脂素材と外層体３の合成樹脂素材とが積層されたパリソンを、ブロー成形することによって得ることができるが、他にも、試験管状に形成したプリフォームを２軸延伸ブロー成形することや、外層体及び内層体を個別に形成し、その後、内層体を外層体内に装着するようにしたものでもよい。
【００１９】
図２に示すように中栓５は、中央部に開口５ａを有する上壁５ｂと、上壁５ｂに段部５ｃを介して連結する筒壁５ｄと、筒壁５ｄの下端に連結するとともに口部周壁３ｄの上端との間で内層体２を挟む中栓フランジ５ｅと、中栓フランジ５ｅの下面から垂下され、口部周壁３ｄの内面との間で内層体２を挟む円筒状のシール壁５ｆとを備えている。また、筒壁５ｄの外面には、径方向外側へ向けて凸となる凸部５ｇ（環状でも間欠状でも良い）が設けられている。
【００２０】
シール弁６は、開口５ａを覆って上壁５ｂに当接する板状の可動壁６ａと、可動壁６ａから起立する円柱状の棒状部６ｂと、棒状部６ｂの先端を径方向外側に膨出させた膨出部６ｃを備えている。また、可動壁６ａの径方向外側には、下端が段部５ｃに当接する環状部６ｄが設けられていて、可動壁６ａと環状部６ｄとの間には、可動壁６ａを上壁５ｂに向けて付勢する弾性アーム６ｅが設けられている。本実施形態のシール弁６は、弾性アーム６ｅを均等配置で３つ設けた３点弁の如き構成となっているが、１点弁等、他の弁構造を採用することも可能である。
【００２１】
注出筒体７は、中央部に注出口７ａを有し下方に向けて拡径するテーパ部７ｂと、テーパ部７ｂの下端に連結する筒状部７ｃと、筒状部７ｃの下端に連結し中栓フランジ５ｅの上面に接するフランジ７ｄとを備えている。また、筒状部７ｃの内面には、中栓５の凸部５ｇに対応する形状をなし凸部５ｇに係合して注出筒体７を抜け止め保持する凹部７ｅが設けられている。更に、筒状部７ｃの内面において、テーパ部７ｂと筒状部７ｃとの境界部分には、環状部６ｄ上端に当接し中栓５との協働にてシール弁６の上下方向の位置を規制する突起７ｆが設けられている。また、注出口７ａには膨出部６ｃが挿通されていて、膨出部６ｃに対し注出口７ａの周面に設けたシール段部７ｇが当接している。注出筒体７の内側には、可動壁６ａが上壁５ｂから離反した際に開口５ａを介して収容空間Ｓと連通する注出空間Ｔが形成されている。
【００２２】
スライド部材８は、口部周壁３ｄに対し、外層体３の中心軸線Ｍに沿う向きに摺動可能に設けられている。図１に示すようにスライド部材８は、側面視では、下方に位置する薄肉部８ａと上方に位置する厚肉部８ｂとを連結した形態をなすものであり、図３に示すように平面視では、口部周壁３ｄを部分的に周回してＣ字状をなすものである。ここで、図３に示す２つの周端部８ｃ、８ｄ間の隙間は、オーバーキャップ９を取り付けた際に貫通開口３ｆと外界とを連通させる通気路Ｖとして機能する。また、スライド部材８の内面には、貫通開口３ｆに向けて突出する突起（ストッパー突起８ｅ）が設けられている。
【００２３】
オーバーキャップ９は、半球状の天部９ａに上部を小径に、下部を大径にした２段の筒状になる周壁９ｂを連結したものである。周壁９ｂの内面には、雄ねじ３ｇに係合する雌ねじ９ｃが設けられ、雌ねじ９ｃの下方には、断面視で直角状になる上部突起９ｄと、周壁９ｂの内面からの突出量が上部突起９ｄよりも少なく、断面視で半円状になる下部突起９ｅが設けられている。なお、上部突起９ｄは、本実施形態のような面全体が突出するような段状に形成したものに限られず、面の一部が局所的に突出するような凸状に形成したものも含む。また下部突起９ｅも、本実施形態のような面の一部が局所的に突出するような凸状に形成したものに限られず、面全体が突出するような段状に形成したものも含む。また、天部９ａの下面には、オーバーキャップ９を取り付けた際に膨出部６ｃに当接する環状のリブ９ｆが設けられている。
【００２４】
上記のような構成になる二重容器１は、図２に示すようにオーバーキャップ９を最後まで取り付けると、上部突起９ｄが厚肉部８ｂを押し下げるので、スライド部材８が口部根元側へ移動する。これにより、貫通開口３ｆが開放されるので、内層体２と外層体３との相互間に形成される内部空間は、貫通開口３ｆと通気路Ｖ（図３）を介して外界と連通する。これにより、周囲の温度が変化して内部空間内の空気が膨張しても、この空気を外界へ逃がすことができるので、内容物の噴き出しを防止することができる。なお、この状態においてストッパー突起８ｅは、貫通開口３ｆの下縁に当接するようにしているので、スライド部材８を、上部突起９ｄとストッパー突起８ｅによって上下方向に位置決めすることができる。また膨出部６ｃは、オーバーキャップ９のリブ９ｆによって傾かない（中心軸線Ｍに対する振れが生じない）ように保持されるので、膨出部６ｃとシール段部７ｇとを全周に亘って均等に当接させることができる。これにより、注出空間Ｔへの空気の侵入や注出空間Ｔからの内容液の漏れ出しをより確実に防止することができる。
【００２５】
そして図４に示すようにオーバーキャップ９の取り外しを開始すると、下部突起９ｅが厚肉部８ｂを押し上げるので、スライド部材８が口部先端側へ移動する。なお、下部突起９ｅの突出量は少なく、また断面視で半円状になるものであるので、そのままオーバーキャップ９の取り外しを継続すると、下部突起９ｅはスライド部材８を乗り越えることができる。またこの時、ストッパー突起８ｅは、貫通開口３ｆの上縁に当接するので、オーバーキャップ９とともにスライド部材８が外れてしまうことはない。そしてスライド部材８の内径は、口部周壁３ｄの外径と略同じか若干小さくなっているので、オーバーキャップ９を取り外しても、スライド部材８は自重で落下することはなく、図４に示す貫通開口３ｆを閉鎖する位置で保持される。
【００２６】
図４に示す状態から外層体３を押圧すると、内部空間内の空気を介して収容空間Ｓが加圧される。これによって可動壁６ａが上壁５ｂから離反するとともに膨出部６ｃもシール段部７ｇから離反する結果、注出空間Ｔ内の内容物が棒状部６ｂと注出口７ａとの隙間を通して少量注出される。なお、この状態では貫通開口３ｆは閉鎖したままであるので、外層体３の押圧を解除しても外層体３は復元していないが、注出させる内容物が少量であるため、外層体３の変形量は僅かであって使い勝手や見栄えが損なわれることはないその後、オーバーキャップ９を取り付ければ、上述したように内部空間と外界とが連通するので、外層体３を復元させることができる。
【００２７】
本発明に従う二重容器は、本実施形態に限定されるものではなく、特許請求の範囲に従う範囲で種々の変更が可能である。例えば、本実施形態のスライド部材８は平面視でＣ字状となるものであるが、例えば環状にすることも可能である。この場合は、口部周壁３ｄの雄ねじ３ｇ周辺は図示のままとし、貫通開口３ｆ周辺は大径にしてスライド部材も大径にすることで、スライド部材を口部周壁に取り付ける際に雄ねじが邪魔になることがない。また、スライド部材８の外面やオーバーキャップ９の内面に溝を設け、この溝を通気路Ｖとしてもよい。また、オーバーキャップ９を口部周壁に取り付けるに当たっては、上述したねじの他、アンダーカット等を採用することも可能である。
【産業上の利用可能性】
【００２８】
本発明によれば、周囲の温度が変化しても、内容物の噴き出しを有効に防止することができる新規の二重容器を提供することが可能となる。
【符号の説明】
【００２９】
１  二重容器
２  内層体
３  外層体
３ａ  底部
３ｂ  胴部
３ｃ  肩部
３ｄ  口部周壁
３ｅ  上部開口
３ｆ  貫通開口
３ｇ  雄ねじ
４  ノズル
５  中栓
５ａ  開口
５ｂ  上壁
５ｃ  段部
５ｄ  筒壁
５ｅ  中栓フランジ
５ｆ  シール壁
５ｇ  凸部
６  シール弁
６ａ  可動壁
６ｂ  棒状部
６ｃ  膨出部
６ｄ  環状部
６ｅ  弾性アーム
７  注出筒体
７ａ  注出口
７ｂ  テーパ部
７ｃ  筒状部
７ｄ  フランジ
７ｅ  凹部
７ｆ  突起
７ｇ  シール段部
８  スライド部材
８ａ  薄肉部
８ｂ  厚肉部
８ｃ  周端部
８ｄ  周端部
８ｅ  ストッパー突起
９  オーバーキャップ
９ａ  天部
９ｂ  周壁
９ｃ  雌ねじ
９ｄ  上部突起
９ｅ  下部突起
９ｆ  リブ
Ｍ  外層体の中心軸線
Ｓ  収容空間
Ｔ  注出空間
Ｖ  通気路
【図１】
2015105123.tif 000003
【図２】
2015105123.tif 000004
【図３】
2015105123.tif 000005
【図４】
2015105123.tif 000006